(57)【要約】      （修正有）【課題】Ｔシャツ等、平面の描画対象に対して所定の印刷作業を実施するに際し、タクトタイムを短縮して印刷物の大量生産を可能にする描画装置を提供する。【解決手段】平面である描画対象６に印刷情報を印刷する記録ヘッド３を備えた装置本体１と、描画対象６を記録ヘッドに対向する位置で固定する治具２とを有するとともに、治具は、ベース板７と、該ベース板に載置されて描画対象がセットされるプラテン８と、該プラテンに対して着脱可能に形成された固定枠９とを有し、ベース板の底面には、装置本体に配設した台座４Ｃに嵌め込まれてベース板の位置を規定する接続部７Ａを設けるとともに、四隅には先端に凸部を有する重ね置き用の位置決め突起１０を設け、固定枠は、プラテンの周囲に嵌め込まれてプラテンにセットされた描画対象をプラテンとの間で固定するとともに、固定枠の上面には、ベース板の底面に形成された凸部と結合される凹部を設けた。【選択図】図１
2016196173.tif 000002
【特許請求の範囲】
【請求項１】
平面である描画対象の描画部位に所定の描画情報を印刷する描画手段を備えた装置本体と、前記描画対象を前記描画手段に対向する位置で固定する治具とを有する描画装置において、
前記治具は、前記装置本体に対して着脱可能に形成されるとともに、平板状のベース板、該ベース板に載置されて描画対象がセットされる平板状のプラテンおよび該プラテンに対して着脱可能に形成された固定枠を有し、
前記ベース板の底面には、前記装置本体に配設した台座に嵌め込まれて前記ベース板の位置を規定する接続部を設けるとともに、少なくとも四隅には先端に凸部または凹部を有する重ね置き用の位置決め突起を設け、
前記固定枠は、前記プラテンの周囲に嵌め込まれて前記プラテンにセットされた前記描画対象を前記プラテンとの間で固定するとともに、
前記固定枠の上面には、前記ベース板の底面に形成された前記凸部または前記凹部と結合される凹部または凸部を設けたことを特徴とする描画装置。
【請求項２】
請求項１に記載する描画装置において、
前記固定枠の表面を覆うよう前記固定枠に着脱可能に形成されたカバーを有することを特徴とする描画装置。
【請求項３】
請求項２に記載する描画装置において、
前記カバーは、前記ベース板の一端側に配設されたカバー収納部にシート状部材を巻回して収納する一方、前記シート状部材の先端部を引くことにより巻戻して前記固定枠の表面を覆うとともに、前記ベース板の他端側で前記ベース板に係止するものであることを特徴とする描画装置。
【請求項４】
請求項２に記載する描画装置において、
前記カバーは、カバー収納部に巻回して収納された複数の短冊状部材を連結してなり、前記短冊状部材の先端部を引くことにより巻戻して前記固定枠の表面を覆うとともに、前記ベース板の他端側で前記ベース板に係止するように構成したものであることを特徴とする描画装置。
【請求項５】
請求項２に記載する描画装置において、
前記カバーは、前記固定枠の上面に形成された前記凹部または前記凸部と結合される凸部または凹部を裏面に設けた板状部材であることを特徴とする描画装置。
【請求項６】
請求項２に記載する描画装置において、
前記カバーは、その一方向に関する両端部の裏側のみで前記固定枠の表面に当接するよう前記一方向に直交する方向に伸びる波状の突起部を設けたことを特徴とする描画装置。
【発明の詳細な説明】
【技術分野】
【０００１】
本発明は描画装置に関し、特にＴシャツ等、平面の描画対象に所定の文字、図形等を大量に印刷する際に適用して有用なものである。
【背景技術】
【０００２】
液滴を吐出する液体噴射ヘッドを搭載して紙、布、フィルム等、平面の描画対象に所定の印刷を行う描画装置の代表例として、インク滴を吐出するインクジェット式記録ヘッド（以下、記録ヘッドともいう）を搭載したインクジェット式記録装置（以下、記録装置ともいう）が存在する。最近では、この種の記録装置で、例えばＴシャツ等の衣服に特定の文字、図形等を印刷するという需要が増大している。かかる需要に対しては、予め作成した文字、図形等のデーターを装置本体に読み込ませることによりＴシャツ等の描画対象に所定の印刷を行っている。その印刷工程は次の通りである。すなわち、１）描画対象の皺等を伸ばしながら装置本体と一体となったプラテンの所定位置に位置合わせを行いつつ、描画対象をプラテンにセットする。２）次に、プラテンにセットされている描画対象の上方からプラテンに対して固定枠を嵌め込むことにより固定枠とプラテンとの間に描画対象を挟み込む。３）かくして描画対象をプラテンに固定した状態で装置本体のインクジェット記録ヘッド（以下、記録ヘッドともいう）を駆動して描画対象の所定領域に所定の印刷を行う。４）その後プラテンから固定枠を外し、続いて描画対象物をプラテンから取り外す。
【０００３】
なお、Ｔシャツ等の描画対象に所定の印刷を行うインクジェット式記録装置として特許文献１が公知となっている。これは、プラテン支持台とプラテンとを備え、筐体の前面方向に向かって起き上がるようにプラテンを起立させることができ、起立させたプラテンの上方からＴシャツ等の描画対象を、その裾側から被せるようにしてＴシャツ等の印刷物をセットすることができるようにしたものである。この結果、印刷面を手前側に向け、上下向きを変えることのない状態でＴシャツ等をプラテンに被せてセットすることができるので、位置の確認や位置ずれの修正を行いつつ所定の印刷を行う。
【先行技術文献】
【特許文献】
【０００４】
【特許文献１】特開２００３−２２０６９５号公報
【発明の概要】
【発明が解決しようとする課題】
【０００５】
しかしながら、特許文献１に開示する公知技術を含め、従来技術においては、上述の１）〜４）に示す印刷工程を実行し、一回の印刷工程が終了してから次の印刷工程において印刷する描画対象をプラテンにセットしているので、当該印刷作業のタクトタイムが長くなってしまうという問題があった。
なお、このような問題はインクジェット式記録装置だけではなく、インク以外の液体を噴射する液体噴射装置、延いては各種の描画装置においても同様に存在する。
【０００６】
本発明は、上記従来技術に鑑み、Ｔシャツ等、平面の描画対象に対して所定の印刷作業を実施するに際し、タクトタイムを可及的に短縮して所定の印刷を施した印刷物の大量生産を可能にする描画装置を提供することを目的とする。
【課題を解決するための手段】
【０００７】
上記目的を達成する本発明の態様は、平面である描画対象の描画部位に所定の描画情報を印刷する描画手段を備えた装置本体と、前記描画対象を前記描画手段に対向する位置で固定する治具とを有する描画装置において、前記治具は、前記装置本体に対して着脱可能に形成されるとともに、平板状のベース板、該ベース板に載置されて描画対象がセットされる平板状のプラテンおよび該プラテンに対して着脱可能に形成された固定枠を有し、前記ベース板の底面には、前記装置本体に配設した台座に嵌め込まれて前記ベース板の位置を規定する接続部を設けるとともに、少なくとも四隅には先端に凸部または凹部を有する重ね置き用の位置決め突起を設け、前記固定枠は、前記プラテンの周囲に嵌め込まれて前記プラテンにセットされた前記描画対象を前記プラテンとの間で固定するとともに、前記固定枠の上面には、前記ベース板の底面に形成された前記凸部または前記凹部と結合される凹部または凸部を設けたことを特徴とする描画装置にある。
本態様によれば、治具が前記装置本体に対して着脱可能に形成されているので、描画作業に先立つ一定の前作業および描画作業後の一定の後作業を描画対象をプラテンにセットした状態で描画作業とは独立した別作業として並行して行うことができる。すなわち、従来の作業工程中、次の１）〜３）の作業を描画対象に対する実際の描画作業と切り離して並行して進めることができる。１）描画対象の皺等を伸ばしながらプラテンの所定位置に位置合わせを行いつつ、描画対象をプラテンにセットする。２）次に、プラテンにセットされている描画対象の上方からプラテンに対して固定枠を嵌め込むことにより固定枠とプラテンとの間に描画対象を挟み込む。３）描画対象に対する所定の印刷が終了した後、プラテンから固定枠を外し、続いて描画対象物をプラテンから取り外す。
【０００８】
ここで、ベース板は接続部を装置本体の台座に嵌め込むようになっているので、かかる嵌合により装置本体に対するベース板の位置は所定通りに規定される。さらに、ベース板の底面に設けた凸部または凹部を有する重ね置き用の位置決め突起と、固定枠の上面に設けた凹部または凸部を結合することにより、ベース板、プラテンおよび固定枠が一体となった複数の治具を良好かつ安定的に積層することができる。この際、積層は固定枠の上面に設けた凹部または凸部を介して行うので、固定枠の裏面に当接する描画対象が、固定枠の上面に当接して積層される上の治具と干渉することはない。すなわち、プラテンにセットされた描画対象が治具を積層する際の障害となることはない。
【０００９】
ここで、前記固定枠の表面を覆うよう前記固定枠に着脱可能に形成されたカバーを有するのが望ましい。治具を積層して印刷作業に備える際、および印刷作業が終了した描画対象をプラテンにセットした状態の治具を、次工程の処理に備える等の必要から積層する場合に最上位置の治具にセットされている描画対象の表面に埃等が付着するのを防止するとともに、印刷部分に接触することによる印刷部分の汚れ等を防止することができるからである。
【００１０】
前記カバーは、前記ベース板の一端側に配設されたカバー収納部にシート状部材を巻回して収納する一方、前記シート状部材の先端部を引くことにより巻戻して前記固定枠の表面を覆うとともに、前記ベース板の他端側で前記ベース板に係止するように構成することができる。また、前記カバーは、前記カバー収納部に巻回して収納された複数の短冊状部材を連結してなり、前記短冊状部材の先端部を引くことにより巻戻して前記固定枠の表面を覆うとともに、前記ベース板の他端側で前記ベース板に係止するように構成することができる。
【００１１】
さらに、前記カバーは、前記固定枠の上面に形成された前記凹部または前記凸部と結合される凸部または凹部を裏面に設けた板状部材とすることもできる。この場合には、治具の積層の際の安定化のために設けた固定枠の凹部または凸部をカバーの固定に兼用できる。この結果、固定枠に対するカバーの着脱を最も簡単かつ容易に行うことができる。
【００１２】
また、前記カバーは、その一方向に関する両端部の裏側のみで前記固定枠の表面に当接するよう前記一方向に直交する方向に伸びる波状の突起部を設けたものであることが望ましい。このように突起部を設けることにより固定枠の一方向に関する両端部ではカバーの突起部が固定枠の上面に当接されるので、それ以外の部分では描画対象の表面とカバーの裏面との間に間隙が形成される結果、カバーが描画対象の印刷面に接触するのを防止し得るからである。
【図面の簡単な説明】
【００１３】
【図１】実施形態に係るインクジェット式記録装置を示す概略構成図である。
【図２】第１の実施例に係る治具部分を抽出して示す概略構成図である。
【図３】第１の実施例に係る治具部分を抽出して示す概略平面図である。
【図４】図２に示す治具を積層した状態で示す概略構成図である。
【図５】第２の実施例に係る治具部分を抽出して示す概略平面図である。
【図６】第３の実施例に係る治具部分を抽出して示す概略平面図である。
【図７】第４の実施例に係る治具部分を抽出して示す概略構成図である。
【図８】治具のカバー部分を抽出・拡大して示す断面図である。
【発明を実施するための形態】
【００１４】
以下に本発明を実施の形態に基づいて詳細に説明する。
図１は、本発明の実施の形態に係る描画装置を示す概略構成図である。同図に示すように、本形態に係る描画装置は、インクジェット式記録装置（以下、記録装置ともいう）Ｉで構成したものであり、装置本体１、治具２、描画手段であるインクジェット式記録ヘッド（以下、記録ヘッドともいう）３、テーブル４および外付けの制御手段であるパーソナル・コンピューター（ＰＣ）５を備えている。ここで、治具２は描画対象（Ｔシャツ等の布地）６を描画手段である記録ヘッド３に対向する位置で固定する。記録ヘッド３は、治具２に固定された描画対象（Ｔシャツ等の布地）６の上方で図中のＸＹ平面内を移動可能に装置本体１に配設してある。かくして描画対象６の所定の印刷領域（描画部位）に記録ヘッド３からインク滴が吐出されて所定の文字、図形等が印刷される。かかる文字、図形等からなる描画情報のデーターはＰＣ５に記憶してあり、前記データーに基づきＸＹ平面内で描画手段である記録ヘッド３を移動させることにより所定の文字、図形等を描画対象６の所定の印刷領域に描画する。ここで、治具２は、後に詳述するが、装置本体１に対して着脱可能に形成されている。すなわち、装置本体１とは分離した場所で印刷前の印刷物のセットや印刷後の印刷物の取り外し作業等を行うことができるようになっている。
【００１５】
ここで、テーブル４は上部４Ａと下部４Ｂとに分かれており、固定部である下部４Ｂに対し上部４Ａが図中Ｚ軸方向に昇降するように構成してある。治具２は上部４Ａの上面に載置してあり、上部４Ａが昇降することにより記録ヘッド３のノズル面３Ａとの間隔を所定通りに調整する。
【００１６】
図２は本発明の第１の実施例に係る治具部分を抽出して示す概略構成図、図３はその概略平面図である。両図に示すように、治具２は、平板状のベース板７、該ベース板７に載置されて描画対象６がセットされる平板状のプラテン８および該プラテン８に対して着脱可能に形成された固定枠９を有している。ベース板７の底面には、装置本体１のテーブル４の上部の表面に配設した台座４Ｃに嵌め込まれて装置本体１に対するベース板７の位置を規定する突起部である接続部７Ａが設けてある。また、矩形のベース板７の底面の四隅には、先端に凸部１０Ａを有する重ね置き用の位置決め突起１０が設けてある。
【００１７】
固定枠９は、プラテン８の周囲に嵌め込まれてプラテン８にセットされた描画対象６をプラテン８との間で固定する。さらに詳言すると、矩形の平板であるプラテン８の表面に描画対象６を載置し、はみ出た端部を裏面に折り返した状態で、固定枠９をプラテン８に、その表面側から嵌め込む。このことにより固定枠９とプラテン８との間で描画対象６を挟み込んで固定する。かかる固定状態のプラテン８および描画対象６を一体的にベース板７の所定位置に載置することで印刷前の準備が完了する。
【００１８】
一方、固定枠９の上面には、別のベース板７の底面に形成された位置決め突起１０の先端に形成された凸部１０Ａが嵌入される凹部９Ａが設けてある。かくして、積層時に上になる治具２のベース板７の凸部１０Ａを、下になる治具２の固定枠９の凹部９Ａに嵌入することで安定的な積層状態を実現し得る。
【００１９】
本形態においては、固定枠９の表面をカバー１１で覆うように構成してある。すなわち、カバー１１は、ベース板７の一端側に配設されたカバー収納部１２に巻回して収納したシート状部材１１Ａで形成してあり、シート状部材１１Ａの先端部を引くことにより巻戻して固定枠９の表面を覆うとともに、ベース板７の他端側でカバー固定部７Ｂを介してベース板７に係止するようになっている。カバー収納部１２にはバネが内装してありそのバネ力により通常はシート状部材１１Ａをカバー収納部１２に引き込むようになっている。
【００２０】
このように、カバー１１で固定枠９の表面を覆うことでプラテン８に固定された描画対象６に埃が付着したり、また印刷済みの印刷部分に接触することによる印刷部分の汚れを未然に防止し得る。なお、装置本体１に治具２をセットした状態での印刷作業の際にはカバー１１のシート状部材１１Ａの先端部のベース板７に対する係止状態を解除することによりシート状部材１１Ａをカバー収納部１２に巻取る。
【００２１】
図４は図２に示す治具２を３個、積層した状態を示す概略構成図である。同図に示すように、上段となる治具２のベース板７の凸部１０Ａを、下段となる治具２の固定枠９の凹部９Ａに嵌入することで積層する。この際、積層は固定枠９の上面に設けた凹部９Ａを介して行うので、固定枠９の裏面に当接する描画対象６が、固定枠９の上面に当接して積層される上の治具２と干渉することはない。すなわち、プラテン８にセットされた描画対象６が治具２を積層する際の障害となることはない。
【００２２】
本形態では、最上段の治具２の固定枠９、すなわちプラテン８にセットされた描画対象６のみをシート状部材１１Ａで覆うようにした。図２中、最下段および２段目の治具２のプラテン８にセットされた描画対象６は上段の治具２に覆われるからである。したがって、最上段の治具２以外の治具においては必ずしもカバー１１であるシート状部材１１Ａを設ける必要はない。ただ、積層する段数や態様によっては最上段となる可能性があるので、全ての治具２にカバー１１を設けておくのが、勿論好ましい。
【００２３】
かかる本形態によれば、治具２が装置本体１に対して着脱可能に形成されているので、印刷作業に先立つ所定の前作業および印刷作業後の所定の後作業を、描画対象６をプラテンにセットした状態で印刷作業とは独立した別作業として並行して行うことができる。すなわち、描画対象６の皺等を伸ばしながらプラテン８の所定位置に対する位置合わせを行いつつ、描画対象６をプラテン８にセットするとともに、かかる状態のプラテン８に上方から固定枠９を嵌め込むことにより固定枠９とプラテン８との間に描画対象６を挟み込んで固定することができる。このように印刷準備を完了した複数の治具２は、図４に示すように積層して、図１に示すように、前処理済みの積層ブロックＡとして装置本体１の近傍に配設することもできる。一方、プラテン８にセットした描画対象６に装置本体１の記録ヘッド３で所定の印刷を終了した後、例えば乾燥や熱処理等の後処理のために、所定の印刷を行った後の複数の治具２を逐次積層して後処理用の積層ブロックＢとして装置本体１の近傍に配設することもできる。
【００２４】
したがって、本形態においては、図１に示すように、積層ブロックＡから逐次治具２を装置本体１のテーブル４に載置し、記録ヘッド３の駆動により所定の印刷を行う。描画対象６に対する所定の印刷が終了した描画対象６がセットされた治具２は別の場所で積層ブロックＢを形成するように積層される。
【００２５】
このように、印刷作業に先立つ所定の前作業および印刷作業後の所定の後作業を、描画対象６をプラテンにセットした状態で印刷作業とは独立した別作業として並行して行うことができるので、印刷作業のタクトタイムを可及的に低減することができ、Ｔシャツ等の描画対象６の大量生産に良好に対処し得る。
【００２６】
ここで、ベース板７は接続部７Ａを装置本体１のテーブル４の上面に形成された台座４Ｃに嵌め込むようになっているので、かかる嵌合により装置本体１に対するベース板７の位置は所定通りに規定される。
【００２７】
なお、本形態においては、図１に示すように、プラテン８に描画対象６がセットされた治具２を一個づつ装置本体１のテーブル４に載置して所定の印刷作業を行うのが基本であるが、装置本体１の構造によっては複数個が積層された治具２をテーブル４に載置することもできる。この場合には、所定の印刷が完了した上段の治具２から順次取外して印刷前とは逆に積層していけば良い。
【００２８】
ここで、カバー１１の具体的な他の実施例に関し、図面に基づき説明しておく。なお、図中、図２および図３と同一部分には同一番号を付し、重複する説明は省略する。
【００２９】
図５は本発明の第２の実施例に係る治具部分を抽出して示す概略平面図である。図５に示すように、本形態においてはカバー収納部１２に表示部１２Ａが設けてある。この表示部１２Ａには、例えば名札、バーコード等、当該治具を特定する情報を付することができる。かかる表示部１２Ａを設けた点を除き、図３等に示す治具と同様である。すなわち、カバー１１（例えば、図４参照）は、ベース板７（例えば、図４参照）の一端側に配設されたカバー収納部１２にシート状部材１１Ａ（例えば、図４参照）を巻回して収納してある。かかる収納状態からシート状部材１１Ａの先端部を引くことにより巻戻して、図４に示す最上段の治具２のように固定枠９の表面を覆うことができる。かかる状態でベース板７の他端側のカバー固定部７Ｂを介してベース板７に係止する。一方、シート状部材１１Ａのカバー固定部７Ｂにおける係止状態を解除すれば、カバー収納部１２のバネ力により巻取られてカバー収納部１２に収納される。
【００３０】
図６はカバーが異なる本発明の第３の実施例に係る治具部分を抽出して示す概略平面図である。同図に示すように、本形態は、図４のシート状部材を１１Ａの代わりに複数の短冊状部材１１Ｂを連結してカバー１１を構成したものである。短冊状部材１１Ｂは、通常はカバー収納部１２に巻回して収納してあり、固定枠９の表面を覆う場合にはシート状部材１１Ａと同様にカバー収納部１２から引出し、カバー固定部７Ｂを介してベース板７に係止する。元に戻す場合には、シート状部材１１Ａの場合と同様に、ベース板７に対する係止状態を解除すれば良い。
【００３１】
図７はカバーが異なる本発明の第４の実施例に係る治具部分を抽出して示す概略構成図である。同図に示すように、本実施例のカバー１１は、固定枠９の上面に形成された凹部９Ａと結合される凸部１１Ｄを裏面に設けた板状部材１１Ｃで形成してある。かかる板状部材１１Ｃはその凸部１１Ｄを固定枠９の凹部９Ａに嵌入することで固定枠９を覆うことができ、この状態を解除する場合には、板状部材１１Ｃを持ち上げて凸部１１Ｄと凹部９Ａとの嵌合状態を解除すれば良い。この結果、固定枠９に対するカバー１１の着脱を簡単かつ容易に行うことができる。
【００３２】
図８は本発明の第４の実施例に係るカバー部分を抽出・拡大して示す断面図である。同図に示すように、本実施例におけるカバー１１Ｅには、図２〜図７に示すカバー１１における図１の一方向であるＹ軸方向（短手方向）に関する両端部の裏側にのみに、前記Ｙ軸に直交する方向であるＸ軸方向（長手方向）に伸びる波状の突起部１１Ｆを設けた。このように突起部１１Ｆを設けることにより固定枠９の幅方向に関する両端部ではカバー１１Ｅの突起部１１Ｆが固定枠９の上面に当接されるので、それ以外の部分では描画対象６の表面とカバー１１Ｅの裏面との間に間隙が形成される。この結果、カバー１１Ｅが描画対象６の印刷面に接触するのを防止し得る。
【００３３】
（他の実施形態）
以上、本発明の一実施の形態について説明したが、本発明は、上述した実施の形態に限定されるものではない。例えば、固定枠９に設けた凸部がベース板７の位置決め突起１０に設けた凹部に嵌入されることで両者を連結する構造としても勿論構わない。また、描画装置としてインクジェット式記録装置Ｉを示したが、上述の如き治具２を有するものであれば、例えばヒートープレスにより文字、図形等を立体である描画対象の所定の領域に描画させる装置であれば本発明の技術思想に含まれる。また、治具２は独立した部品として、複数の装置で共用し得るものであっても良い。さらに、文字、図形等のデーターを記憶している制御手段は装置本体１に内蔵されていても構わない。
【符号の説明】
【００３４】
Ｉ  記録装置、  １  装置本体、  ２  治具、  ３  記録ヘッド、  ４Ｃ  台座、  ６  描画対象、  ７  ベース板、  ７Ａ  接続部、  ８  プラテン、  ９  固定枠、  ９Ａ  凹部、  １０  位置決め突起、  １０Ａ  凸部、  １１  カバー、  １１Ａ  シート状部材、  １１Ｂ  短冊状部材、  １１Ｃ  板状部材、  １１Ｄ  凸部、  １２  カバー収納部、  １２Ａ  表示部
【図１】
2016196173.tif 000003
【図２】
2016196173.tif 000004
【図３】
2016196173.tif 000005
【図４】
2016196173.tif 000006
【図５】
2016196173.tif 000007
【図６】
2016196173.tif 000008
【図７】
2016196173.tif 000009
【図８】
2016196173.tif 000010